(57)【特許請求の範囲】
【請求項１】
並べて設けられた第１表示装置及び第２表示装置を制御する情報表示装置であり、
複数のコンテンツの各コンテンツを順に切り替えて前記第１表示装置に表示させるコンテンツ表示部と、
前記コンテンツ表示部がコンテンツを表示させる際、そのコンテンツの表示後に前記コンテンツ表示部が表示させる予定の各コンテンツを表すマークを表示順序に並べて前記第１表示装置に表示させる予定表示部と、
前記予定表示部が表示させたマークのうち、利用者によって指定されたマークが表すコンテンツを前記第２表示装置に表示させる指定情報表示部と
を備えることを特徴とする情報表示装置。
【請求項２】
前記情報表示装置は、さらに、
前記コンテンツ表示部が表示させる前記各コンテンツの表示の切り替えの間に割り込ませて表示させる割込みコンテンツであって、後に取得可能となる割込みコンテンツを表すマークを、前記予定表示部が表示させた表示順序に並んだマークのうち、前記割込みコンテンツの取得予定タイミングにおいて前記コンテンツ表示部が表示させるコンテンツを表すマークと、その次に表示するコンテンツを表すマークとの間に割り込ませて表示させる割込み情報表示部
を備え、
前記指定情報表示部は、前記割込み情報表示部が表示させたマークが利用者によって指定されると、前記割込みコンテンツに関連する既に取得済の割込みコンテンツを前記第２表示装置に表示させる
ことを特徴とする請求項１に記載の情報表示装置。
【請求項３】
前記コンテンツ表示部は、前記取得予定タイミングよりも早く前記割込みコンテンツを取得した場合には、前記取得予定タイミングまで待つことなく前記取得予定タイミングの前に、順に切り替えて表示させる前記各コンテンツの表示の切り替えの間に割り込ませて、前記割込みコンテンツを前記第１表示装置に表示させる
ことを特徴とする請求項２に記載の情報表示装置。
【請求項４】
前記情報表示装置は、さらに、
前記コンテンツ表示部がコンテンツを表示させる際、そのコンテンツの表示前に前記コンテンツ表示部が表示させたコンテンツを表すマークを、表示させた順序に並べて前記第１表示装置に表示させる履歴表示部
を備え、
前記指定情報表示部は、前記予定表示部と前記履歴表示部とが表示させたマークのうち、利用者によって指定されたマークが表すコンテンツを前記第２表示装置に表示させる
ことを特徴とする請求項１に記載の情報表示装置。
【請求項５】
前記情報表示端末は、さらに、
前記割込みコンテンツが添付ファイルとして添付された電子メールを取得する情報取得部
を備え、
前記コンテンツ表示部は、前記情報取得部が取得した電子メールの添付ファイルを表示させる
ことを特徴とする請求項２に記載の情報表示装置。
【請求項６】
前記コンテンツ表示部は、表示させているコンテンツの種別を示す種別情報を前記第１表示装置に表示させる
ことを特徴とする請求項１に記載の情報表示装置。
【請求項７】
前記指定情報表示部は、コンテンツとして動画を表示させている場合、利用者からの指示に従い、コンテンツの再生速度を変更または一時停止する
ことを特徴とする請求項１に記載の情報表示装置。
【請求項８】
並べて設けられた第１表示装置及び第２表示装置を制御する情報表示プログラムであり、
複数のコンテンツの各コンテンツを順に切り替えて前記第１表示装置に表示させるコンテンツ表示処理と、
前記コンテンツ表示処理でコンテンツを表示させる際、そのコンテンツの表示後に前記コンテンツ表示処理で表示させる予定の各コンテンツを表すマークを表示順序に並べて前記第１表示装置に表示させる予定表示処理と、
前記予定表示処理で表示させたマークのうち、利用者によって指定されたマークが表すコンテンツを前記第２表示装置に表示させる指定情報表示処理と
をコンピュータに実行させることを特徴とする情報表示プログラム。
【発明の詳細な説明】
【技術分野】
【０００１】
この発明は、交通機関のスケジュール、案内、広告等の複数のコンテンツを順次切り替えて表示する情報表示技術に関する。
【背景技術】
【０００２】
列車等の交通機関のスケジュールや、観光情報、地図等の案内や、広告等のコンテンツを順次切り替えて表示するＬＣＤ（Ｌｉｑｕｉｄ  Ｃｒｙｓｔａｌ  Ｄｉｓｐｌａｙ）等の表示装置（いわゆるデジタルサイネージ）が、駅や街中等に設置されている。
デジタルサイネージで表示されるコンテンツは、提供側で決められたコンテンツが、提供側で決められた順序で切り替えられて表示される。
【先行技術文献】
【特許文献】
【０００３】
【特許文献１】特開２００８−２５２５３０号公報
【発明の概要】
【発明が解決しようとする課題】
【０００４】
デジタルサイネージは、１つの画面に多数の情報、多数のメディアを表示できるのが特徴である。例えばショッピングモール、駅、空港など街中に多数設置して、場所ごと、時間ごとに様々な情報を提供することが可能である。ところがデジタルサイネージではテレビ番組表のようなタイムスケジュールが利用者（デジタルサイネージを見る人）に提供されず、情報のみが提供されるため、利用者側から見ると現在何が表示されていて、次は何が表示されるのか、また欲しい情報はいつ表示されるのかを知る方法がない。そのため、通りすがりに見た表示装置に興味があるコンテンツや人目を引くコンテンツが表示されている以外は、興味も持たずに、通り過ぎてしまうことが多い。
例えば利用者は、スポーツの速報や、交通機関にトラブルが生じているときにおける、そのトラブルに関する速報等には特に興味がある。しかし、利用者は、これらの速報がいつ表示されるかわからないため、表示装置を見たときに速報が表示されていなければ、見ることを止めてしまう。
この発明は、利用者にとって利便性の高い情報表示を行うことを目的とする。
【課題を解決するための手段】
【０００５】
この発明に係る情報表示装置は、
並べて設けられた第１表示装置及び第２表示装置を制御する情報表示装置であり、
複数のコンテンツの各コンテンツを順に切り替えて前記第１表示装置に表示させるコンテンツ表示部と、
前記コンテンツ表示部がコンテンツを表示させる際、そのコンテンツの表示後に前記コンテンツ表示部が表示させる予定の各コンテンツを表すマークを表示順序に並べて前記第１表示装置に表示させる予定表示部と、
前記予定表示部が表示させたマークのうち、利用者によって指定されたマークが表すコンテンツを前記第２表示装置に表示させる指定情報表示部と
を備えることを特徴とする。
【０００６】
前記情報表示装置は、さらに、
前記コンテンツ表示部が表示させる前記各コンテンツの表示の切り替えの間に割り込ませて表示させる割込みコンテンツであって、後に取得可能となる割込みコンテンツを表すマークを、前記予定表示部が表示させた表示順序に並んだマークのうち、前記割込みコンテンツの取得予定タイミングにおいて前記コンテンツ表示部が表示させるコンテンツを表すマークと、その次に表示するコンテンツを表すマークとの間に割り込ませて表示させる割込み情報表示部
を備え、
前記指定情報表示部は、前記割込み情報表示部が表示させたマークが利用者によって指定されると、前記割込みコンテンツに関連する既に取得済の割込みコンテンツを前記第２表示装置に表示させる
ことを特徴とする。
【０００７】
前記コンテンツ表示部は、前記取得予定タイミングよりも早く前記割込みコンテンツを取得した場合には、前記取得予定タイミングまで待つことなく前記取得予定タイミングの前に、順に切り替えて表示させる前記各コンテンツの表示の切り替えの間に割り込ませて、前記割込みコンテンツを表示させる
ことを特徴とする。
【０００８】
前記情報表示装置は、さらに、
前記コンテンツ表示部がコンテンツを表示させる際、そのコンテンツの表示前に前記コンテンツ表示部が表示させたコンテンツを表すマークを、表示させた順序に並べて前記第１表示装置に表示させる履歴表示部
を備え、
前記指定情報表示部は、前記予定表示部と前記履歴表示部とが表示させたマークのうち、利用者によって指定されたマークが表すコンテンツを前記第２表示装置に表示させる
ことを特徴とする。
【０００９】
前記情報表示端末は、さらに、
前記割込みコンテンツが添付ファイルとして添付された電子メールを取得する情報取得部
を備え、
前記コンテンツ表示部は、前記情報取得部が取得した電子メールの添付ファイルを表示させる
ことを特徴とする。
【００１０】
前記コンテンツ表示部は、表示させているコンテンツの種別を示す種別情報を前記第１表示装置に表示させる
ことを特徴とする。
【００１１】
前記指定情報表示部は、コンテンツとして動画を表示させている場合、利用者からの指示に従い、コンテンツの再生速度を変更する
ことを特徴とする。
【００１２】
この発明に係る情報表示プログラムは、
並べて設けられた第１表示装置及び第２表示装置を制御する情報表示プログラムであり、
複数のコンテンツの各コンテンツを順に切り替えて前記第１表示装置に表示させるコンテンツ表示処理と、
前記コンテンツ表示処理でコンテンツを表示させる際、そのコンテンツの表示後に前記コンテンツ表示処理で表示させる予定の各コンテンツを表すマークを表示順序に並べて前記第１表示装置に表示させる予定表示処理と、
前記予定表示処理で表示させたマークのうち、利用者によって指定されたマークが表すコンテンツを前記第２表示装置に表示させる指定情報表示処理と
をコンピュータに実行させることを特徴とする。
【発明の効果】
【００１３】
この発明に係る情報表示装置は、並べて設けられた２台の表示装置のうちの一方に、コンテンツとともに、そのコンテンツの後に表示させる予定のコンテンツを表すマークを表示させる。そのため、利用者は、表示装置を見たときに興味のあるコンテンツが表示されていなかったとしても、その表示端末でいつ興味のあるコンテンツまたは面白そうなコンテンツが表示されるかを知ることができ、そのコンテンツが表示されるまで待つか否かの判断ができる。また、２台の表示装置のうちの他方に、ユーザによって選択されたマークが表すコンテンツを表示させる。そのため、興味のあるコンテンツまたは面白そうなコンテンツを隣の表示装置で先に見ることもできる。
【図面の簡単な説明】
【００１４】
【図１】実施の形態１に係る情報表示装置１００によって、表示装置２００に表示される情報の説明図。
【図２】実施の形態１に係る情報表示装置１００の構成図。
【図３】割込み情報記憶部１１０が記憶する情報の一例を示す図。
【図４】コンテンツ情報記憶部１２０が記憶する情報の一例を示す図。
【図５】表示順序記憶部１３０が記憶する情報の一例を示す図。
【図６】表示部１５０の動作を示すフローチャート。
【図７】実施の形態２に係る情報表示装置１００の構成図。
【図８】実施の形態３に係る表示装置２００を示す図。
【図９】表示装置２００に表示される情報の変化を説明するための図。
【図１０】実施の形態３に係る表示装置２００の他の例を示す図。
【図１１】実施の形態４に係る情報表示装置１００によって、２台の表示装置２００Ａ、表示装置２００Ｂに表示される情報の説明図。
【図１２】実施の形態４に係る情報表示装置１００の構成図。
【図１３】実施の形態４に係る情報表示装置１００によって、２台の表示装置２００Ａ、表示装置２００Ｂに表示される情報の他の例を示す図。
【図１４】実施の形態５に係る割込み情報記憶部１１０が記憶する情報の一例を示す図。
【図１５】実施の形態６に係る情報表示装置１００の構成図。
【図１６】実施の形態７に係る情報表示装置１００によって表示装置２００に表示される情報の説明図。
【図１７】情報表示装置１００のハードウェア構成の一例を示す図。
【発明を実施するための形態】
【００１５】
以下、図に基づき、発明の実施の形態を説明する。
以下の説明において、処理装置は後述するＣＰＵ９１１等である。記憶装置は後述するＲＯＭ９１３、ＲＡＭ９１４、磁気ディスク９２０等の記憶装置である。表示装置２００は後述するＬＣＤ９０１等である。入力装置４００は後述するキーボード９０２、マウス９０３等である。つまり、処理装置、記憶装置、表示装置２００、入力装置４００はハードウェアである。
【００１６】
実施の形態１．
図１は、実施の形態１に係る情報表示装置１００によって、表示装置２００に表示される情報の説明図である。
図１に示すように、表示装置２００は、コンテンツ表示領域１０、予定表示領域２０、履歴表示領域３０、関連情報表示領域４０の４つの表示領域を有する。
コンテンツ表示領域１０には、観光情報、検疫のお知らせ、ホテル情報、列車・バス等の交通情報、航空機の発着スケジュール等の航空機情報等のコンテンツが順次切り替えられて表示される。また、コンテンツ表示領域１０には、オリンピック等のスポーツ速報や、災害の発生等のニュース速報や、航空機に遅延が発生している場合における、新たな出発時刻に関する情報等のコンテンツ（割込みコンテンツ）が、順次切り替えて表示されるコンテンツに割り込んで表示される。
予定表示領域２０には、コンテンツ表示領域１０にこれから表示されるコンテンツの表示順序が表示される。ここでは、予定表示領域２０の右下から左上へ表示される順にコンテンツの内容を示す図等のマークが表示されている。なお、予定表示領域２０の右下には、現在コンテンツ表示領域１０に表示されているコンテンツの内容を示すマークが表示されている。また、予定表示領域２０には、割込みコンテンツを取得する予定がある場合に、その割込みコンテンツの内容を示すマークが、取得する予定のタイミングを示す位置に表示される。ここでは、オリンピックのニュースを取得する予定があり、オリンピックのニュースを取得する予定のタイミングが「検疫のお知らせ」を表示した後あたりであるため、「検疫のお知らせ」を示すマークと「ホテル情報」を示すマークとの間に「オリンピックニュース」を示すマークが表示されている。下に表示されている「日本は金をとれるか？」は、アピールポイントである。
履歴表示領域３０には、既に表示されたコンテンツの表示履歴情報が表示される。ここでは、コンテンツ表示領域１０に現在表示されているコンテンツの１つ前に表示されたコンテンツの内容を示すマークが表示されている。なお図１では、１つ前のコンテンツのみ表示されているが、過去に表示した複数コンテンツのマークを表示するように構成することが可能である。複数コンテンツを表示することにより、履歴として用いることができる。
関連情報表示領域４０には、コンテンツ表示領域１０に現在表示されているコンテンツに関連する情報が表示される。ここでは、コンテンツ表示領域１０に現在表示されているコンテンツに関連するキーワードが表示されている。
またマークの下に表示されている時間（例えば観光情報は、１．０分）は、そのコンテンツの再生時間を示すが、このように時間で表示してもよいし、あるいは矢印を表示してその長さや太さで、直観的にわかるように構成してもよい。またマークの大きさにて、再生時間を表現してもよい。
【００１７】
図２は、実施の形態１に係る情報表示装置１００の構成図である。
情報表示装置１００は、割込み情報記憶部１１０、コンテンツ情報記憶部１２０、表示順序記憶部１３０、情報取得部１４０、表示部１５０を備える。
【００１８】
割込み情報記憶部１１０は、割込みコンテンツに関する情報を記憶する記憶装置である。
図３は、割込み情報記憶部１１０が記憶する情報の一例を示す図である。図３に示すように、割込み情報記憶部１１０は、割込みＩＤ毎に、コンテンツ種別、マーク、予定時刻、コンテンツ、アピールポイントを記憶する。
割込みＩＤには、コンテンツ毎に割り振られた識別情報が格納される。コンテンツ種別には、静止画、動画等コンテンツの種別が格納される。マークには、そのコンテンツの内容を簡単に表した図（アイコン、シンボル）、文字、記号等が格納される。予定時刻には、そのコンテンツが取得される（表示可能となる）予定時刻が格納される。コンテンツには、静止画、動画等で構成されるコンテンツが格納される。アピールポイントには、該当コンテンツの概要がキャッチフレーズ程度の数文字で格納される。なおアピールポイントは、配信サーバ３００から配信される場合と配信されない場合がある。
ここでは、オリンピックニュースというマークと、１８：００という予定時刻と、オリンピックの所定の競技の結果等を示す静止画や動画等のコンテンツとが、そのコンテンツに割り当てられた割込みＩＤとともに記憶されている。
【００１９】
コンテンツ情報記憶部１２０は、順次切り替えて表示されるコンテンツを記憶する記憶装置である。
図４は、コンテンツ情報記憶部１２０が記憶する情報の一例を示す図である。図４に示すように、コンテンツ情報記憶部１２０は、コンテンツＩＤ毎に、コンテンツ種別、マーク、コンテンツ、関連情報、表示時間、アピールポイントを記憶する。アピールポイントはコンテンツにより、記憶されていない場合もある。
コンテンツＩＤには、コンテンツ毎に割り振られた識別情報が格納される。コンテンツ種別には、静止画、動画等コンテンツの種別が格納される。マークには、そのコンテンツの内容を簡単に表した図、文字、記号等が格納される。コンテンツには、静止画、動画等で構成されるコンテンツが格納される。関連情報には、コンテンツに関連したキーワード等が格納される。表示時間には、そのコンテンツを表示させる時間が格納される。
ここでは、観光情報、検疫のお知らせ、ホテル情報、列車・バス等の交通情報、航空機の発着スケジュール等の航空機情報について、マーク、コンテンツ、関連情報、表示時間が、そのコンテンツに割り当てられたコンテンツＩＤとともに記憶されている。
【００２０】
表示順序記憶部１３０は、コンテンツ情報記憶部１２０が記憶した各コンテンツを表示する順序を記憶した記憶装置である。
図５は、表示順序記憶部１３０が記憶する情報の一例を示す図である。図５に示す例では、コンテンツ情報記憶部１２０が記憶した各コンテンツのコンテンツＩＤを表示順に並べたリストが記憶されている。
ここでは、図４におけるＩＤを、Ｃ００１、Ｃ００２、Ｃ００３、Ｃ００４、Ｃ００５という順序に環状に並べたリストが記憶されている。つまり、ここでは、観光情報、検疫のお知らせ、ホテル情報、列車・バス等の交通情報、航空機の発着スケジュール等の航空機情報という順序が記憶されている。
【００２１】
情報取得部１４０は、配信サーバ３００から配信された割込み予定情報と割込みコンテンツとを取得する。
割込み予定情報は、速報等の割込みコンテンツが配信される予定タイミングを示す情報であり、その割込みコンテンツを示すマークと、その割込みコンテンツが配信される予定時刻とが含まれる。情報取得部１４０は、割込み予定情報を取得すると、取得した割込み予定情報に対して割込みＩＤを割り当てた上で、割込み情報記憶部１１０に格納するとともに、割り当てた割込みＩＤを配信サーバ３００へ通知する。
割込みコンテンツは、速報等のコンテンツであり、割込み予定情報を取得した際に通知した割込みＩＤと、コンテンツ種別と、コンテンツと、アピールポイント（アピールポイントは取得されない場合もある）とが含まれる。情報取得部１４０は、割込みコンテンツを取得すると、割込み情報記憶部１１０において、その割込みコンテンツに含まれる割込みＩＤのレコードに、コンテンツを格納する。
図１に示す例であれば、例えば、オリンピックの所定の競技が終了する時刻（あるいは終了すると予想される時刻）を示す割込み予定情報が配信サーバ３００から配信される。情報取得部１４０は、この割込み予定情報を取得すると、割込みＩＤを割り当ててレコードを作成し、マーク及び予定時刻の項目に、その割込み予定情報に含まれるマーク及び予定時刻を格納する。また、情報取得部１４０は、割り当てた割込みＩＤを配信サーバ３００へ通知する。そして、実際にその競技が終了すると、その競技の結果を示すコンテンツが割込みコンテンツとして配信サーバ３００から配信される。情報取得部１４０は、この割込みコンテンツを取得すると、割込みコンテンツに含まれる割込みＩＤのレコードのコンテンツの項目に、その割込みコンテンツに含まれるコンテンツを格納する。
なお、情報取得部１４０は、割込み予定情報を取得すると、割込み予定情報を取得したことを割り当てた割込みＩＤとともに表示部１５０へ通知する。同様に、情報取得部１４０は、割込みコンテンツを取得すると、割込みコンテンツを取得したことを、割込みコンテンツに含まれる割込みＩＤとともに表示部１５０へ通知する。
【００２２】
表示部１５０は、割込み情報記憶部１１０、コンテンツ情報記憶部１２０、表示順序記憶部１３０に記憶された情報に基づき、表示装置２００に情報を表示させる。
表示部１５０は、コンテンツ表示部１５１、予定表示部１５２、割込み情報表示部１５３、履歴表示部１５４、関連情報表示部１５５を備える。
【００２３】
コンテンツ表示部１５１は、表示順序記憶部１３０が記憶した再生順序に従い、コンテンツ情報記憶部１２０から順次コンテンツを取得して、表示装置２００のコンテンツ表示領域１０に表示させる。
また、コンテンツ表示部１５１は、情報取得部１４０から割込みコンテンツを取得したことが通知されると、併せて通知されたＩＤに基づき割込み情報記憶部１１０からその割込みコンテンツを取得して、コンテンツ表示領域１０に表示させる。コンテンツ表示部１５１は、コンテンツ表示領域１０に表示しているコンテンツのＩＤ（コンテンツＩＤ）を記憶している。
【００２４】
予定表示部１５２は、表示順序記憶部１３０が記憶した表示順に従い、コンテンツ情報記憶部１２０が記憶したマークと表示時間とを予定情報として取得し、表示装置２００の予定表示領域２０に表示させる。この際、コンテンツ表示部１５１が表示させているコンテンツについてのマークと表示時間とを、図１における予定表示領域２０の右下の現在の欄に表示させ、そのコンテンツの後に表示させるコンテンツについてのマークと表示時間とを、コンテンツ表示部１５１がコンテンツ表示領域１０にコンテンツを表示させる順に並べて表示させる。
【００２５】
割込み情報表示部１５３は、情報取得部１４０から割込み情報を取得したことが通知されると、併せて通知されたＩＤに基づき割込み情報記憶部１１０からマークと予定時刻とを取得する。
割込み情報表示部１５３は、現在時刻と取得した予定時刻とから、何秒後に割込みコンテンツが配信されるかを計算する。割込み情報表示部１５３は、計算した結果と、順次切り替えて表示するコンテンツの表示時間とから、どのコンテンツの後に割込みコンテンツを表示可能となるかを計算する。
そして、割込み情報表示部１５３は、予定表示領域２０に予定表示部１５２が表示させる各コンテンツについてのマークのうち、計算したコンテンツについてのマークの後ろに割り込ませて、割込み情報記憶部１１０から取得したマークと予定時刻（割込みコンテンツの取得予定タイミング）とを表示させる。
この際、マークと予定時刻とに装飾を施したり、マークと予定時刻とを点滅させる等して、マークと予定時刻とを強調して表示させる。
【００２６】
履歴表示部１５４は、コンテンツ表示部１５１が現在表示させているコンテンツの前に表示させたコンテンツのマークと表示時間とをコンテンツ情報記憶部１２０から履歴情報として取得し、表示装置２００の履歴表示領域３０に表示させる。
【００２７】
関連情報表示部１５５は、コンテンツ表示部１５１が現在表示させているコンテンツの関連情報をコンテンツ情報記憶部１２０から取得して、表示装置２００の関連情報表示領域４０に表示させる。
【００２８】
図６は、表示部１５０の動作を示すフローチャートである。
まず、コンテンツ表示部１５１は、コンテンツ情報記憶部１２０及び表示順序記憶部１３０を参照し、初めに表示させるコンテンツを取得する（Ｓ１）。このときコンテンツ表示部１５１は、取得したコンテンツのコンテンツＩＤも取得し、表示コンテンツＩＤとして内部メモリ等の記憶装置に記憶しておく。次に、予定表示部１５２は、コンテンツ表示部１５１が取得したコンテンツについてのマーク及び表示時間を取得するとともに、表示順序記憶部１３０が記憶した順序に従い、コンテンツ表示部１５１が取得したコンテンツの後に表示させる所定の個数のコンテンツについてのコンテンツ種別、マーク及び表示時間を取得する（Ｓ２）。次に、履歴表示部１５４は、表示順序記憶部１３０が記憶した順序に従い、コンテンツ表示部１５１が取得したコンテンツの前に表示させた所定の個数のコンテンツのマークを取得する（Ｓ３）。次に、関連情報表示部１５５は、コンテンツ表示部１５１が取得したコンテンツについての関連情報を取得する（Ｓ４）。そして、表示部１５０は、取得したコンテンツ等を対応する表示領域に表示させる（Ｓ５）。（Ｓ５）で表示部１５０は、コンテンツ種別に応じたコンテンツ種別記号を表示する。このコンテンツ種別記号とは、例えば静止画、動画を一目で判別するための記号であり、色や形状が異なる矢印、星印であったり、マークの背景として構成してもよい。
例えば、（Ｓ１）でコンテンツ表示部１５１は、図４におけるＣ００１のレコードに記憶された観光情報のコンテンツを取得する。この場合、（Ｓ２）で予定表示部１５２は、図４におけるＣ００１のレコードに記憶されたマーク及び表示時間と、Ｃ００２、Ｃ００３、Ｃ００４のレコードに記憶されたマーク及び表示時間とを取得する。また、（Ｓ３）で履歴表示部１５４は、図４におけるＣ００５のレコードに記憶されたマークを取得する。また、（Ｓ４）で関連情報表示部１５５は、図４におけるＣ００１のレコードの関連情報を取得する。
そして、（Ｓ５）でコンテンツ表示部１５１は、取得したＣ００１のコンテンツをコンテンツ表示領域１０に表示させる。また、予定表示部１５２は、Ｃ００１のレコードから取得したマーク及び表示時間を先頭として、その後にＣ００２、Ｃ００３、Ｃ００４のレコードから取得したマーク及び表示時間を順に並べて予定表示領域２０に表示させる。また、履歴表示部１５４は、Ｃ００５のレコードから取得したマーク及び表示時間を履歴表示領域３０に表示させる。また、関連情報表示部１５５は、取得したＣ００１の関連情報を関連情報表示領域４０に表示させる。
【００２９】
（Ｓ５）でコンテンツの表示が終わり、割込み予定情報を取得したことが情報取得部１４０から通知されておらず（Ｓ６でＮＯ）、割込みコンテンツを取得したことも情報取得部１４０から通知されていない場合（Ｓ７でＮＯ）、再び処理を（Ｓ１）へ戻す。
すると、表示部１５０は、表示順序記憶部１３０が記憶した再生順序に従い、コンテンツ表示部１５１が内部メモリ等の記憶装置に記憶した表示コンテンツＩＤが示すコンテンツの次に表示するコンテンツを取得するとともに、取得したコンテンツに合わせて予定情報、履歴情報、関連情報を取得する（Ｓ１〜４）。このとき、取得したコンテンツのコンテンツＩＤを表示コンテンツＩＤとして上書きする。そして、取得したコンテンツ等を対応する表示領域に表示させる（Ｓ５）。
例えば、上記の例では、（Ｓ１）でコンテンツ表示部１５１は、図４におけるＣ００２のレコードに記憶された検疫のお知らせのコンテンツを取得する。そして、（Ｓ２）で予定表示部１５２は、図４におけるＣ００２のレコードに記憶されたマーク及び表示時間と、Ｃ００３、Ｃ００４、Ｃ００５のレコードに記憶されたマーク及び表示時間とを取得する。また、（Ｓ３）で履歴表示部１５４は、図４におけるＣ００１のレコードに記憶されたマークを取得する。また、（Ｓ４）で関連情報表示部１５５は、図４におけるＣ００２のレコードの関連情報を取得する。そして、（Ｓ５）で取得したコンテンツ等を対応する表示領域に表示させる。
つまり、表示部１５０は、情報取得部１４０が割込み予定情報や割込みコンテンツを取得していない場合、順次コンテンツを切り替え、またコンテンツの切り替えに併せて予定情報、履歴情報、関連情報を切り替えて各表示領域に表示させる。
【００３０】
一方、（Ｓ５）でコンテンツの表示が終わり、割込み予定情報を取得したことが情報取得部１４０から通知されていた場合（Ｓ６でＹＥＳ）、割込み情報表示部１５３が情報取得部１４０から通知された割込みＩＤに基づき割込み情報記憶部１１０からマークと予定時刻とを取得し（Ｓ８）、処理を（Ｓ１）へ戻す。
すると、表示部１５０は、上記と同様に、表示順序記憶部１３０が記憶した再生順序に従い、次のコンテンツを取得し、表示コンテンツＩＤを上書きするとともに、取得したコンテンツに合わせて予定情報、履歴情報、関連情報を取得する（Ｓ１〜４）。そして、取得したコンテンツ等を対応する表示領域に表示させる（Ｓ５）。
なお、この場合、（Ｓ５）で割込み情報表示部１５３は、予定表示部１５２が表示させる予定情報に割り込ませて、予定時刻のタイミングを示す位置にマークと予定時刻とを予定表示領域２０に表示させる。
【００３１】
また、割込みコンテンツを取得したことが情報取得部１４０から通知されていた場合（Ｓ７でＹＥＳ）、コンテンツ表示部１５１が情報取得部１４０から通知された割込みＩＤに基づき割込み情報記憶部１１０からコンテンツを取得し（Ｓ９）、処理を（Ｓ５）へ戻す。
そして、表示部１５０は、（Ｓ９）で取得したコンテンツ（割込みコンテンツ）をコンテンツ表示領域１０に表示させるとともに、既に取得済であった予定情報、履歴情報を対応する表示領域に表示させる。（Ｓ５）。なお、この場合、割込み情報表示部１５３は、コンテンツ表示領域１０に表示させた割込みコンテンツについての、マークと予定時刻との表示を止める。
（Ｓ５）で割込みコンテンツを表示し終えた場合、（Ｓ６）（Ｓ７）で割込み予定情報と割込みコンテンツを取得したかを確認した上で、再び処理を（Ｓ１）へ戻す。そして、上記と同様の処理を実行する。
【００３２】
なお、（Ｓ２）（Ｓ８）では、さらにアピールポイントを取得してもよい。そして、（Ｓ５）でコンテンツ等を表示するとき、アピールポイントを常時表示してもよいし、一定間隔（例えば、１分毎に１５秒間表示する）で表示するように構成してもよい。一定間隔で表示を切り替えるように構成することで、利用者を引きつける効果が期待できる。
【００３３】
以上のように、実施の形態１に係る情報表示装置１００は、コンテンツとともに、コンテンツの表示予定を表示させる。さらに、速報等が取得される予定がある場合には、その速報等を表示可能になるタイミングを表示させる。
そのため、利用者は、表示装置２００を見たときに興味のあるコンテンツが表示されていなかったとしても、いつ興味のあるコンテンツが表示されるかを知ることができ、そのコンテンツが表示されるまで待つか否かの判断ができる。
また利用者は、該当のコンテンツ表示を待つ間、別のコンテンツを見ることになり、別のコンテンツが広告等のコンテンツであれば、その広告の視聴者を増やすことができる。そのため、広告提供者側としても、実施の形態１に係る情報表示方法により、広告利用価値が高まる。
また図１で説明した表示装置２００の表示例で、日本語表示だけでなく、他言語の表示を併用することも可能である。例えばコンテンツのマークの説明に、日本語、英語、韓国語の３つの表記を表示してもよいし、コンテンツの内容により、日本語のみ、英語のみ、韓国語のみ、あるいは日本語と英語というように表記を切り替えてもよい。それにより、より多数の利用者（色々な母国語の利用者）にコンテンツを提供することが可能になる。
【００３４】
なお、図６の説明では、コンテンツの切り替えのタイミングでのみ、割込み予定情報や割込みコンテンツを取得したか否かを確認していた。そのため、コンテンツの切り替えのタイミングでのみ、予定表示領域２０に割込みの予定の表示を追加することや、割込みコンテンツへコンテンツを切り替えることが行われた。
しかし、常に割込み予定情報や割込みコンテンツを取得したかを監視しておき、予定表示領域２０に割込みの予定の表示を追加することや、割込みコンテンツへコンテンツを切り替えることを、他のコンテンツの表示中に行っても構わない。
つまり、あるコンテンツをコンテンツ表示領域１０に表示させ、そのコンテンツに合わせた予定情報を予定表示領域２０に表示している最中に、割込み予定情報を取得した場合、予定表示領域２０の表示だけを割込みの予定を追加した表示に切り替えてもよい。
また、あるコンテンツをコンテンツ表示領域１０に表示させている最中に、割込みコンテンツを取得した場合、そのコンテンツの表示を途中で止め、割込みコンテンツを表示させてもよい。例えば、コンテンツ表示領域１０に表示させているコンテンツが動画であれば、その動画の再生を中止して、割込みコンテンツを表示させてもよい。この場合、途中で表示を止めたコンテンツは、割込みコンテンツの表示が終わった後、再び初めから表示させるとしてもよいし、止めたところから表示させるとしてもよい。
【００３５】
また、上記説明では、予定表示領域２０に表示させたタイミングで、割込みコンテンツを取得することを前提として説明した。
しかし、予定表示領域２０に表示させたタイミングよりも前に割込みコンテンツを取得することが考えられる。この場合、予定表示領域２０に表示させたタイミングに関わらず、取得したタイミングで割込みコンテンツを表示させてもよいし、予定表示領域２０に表示させたタイミングまで待って、予定表示領域２０に表示させたタイミングで割込みコンテンツを表示させてもよい。
また、予定表示領域２０に表示させたタイミングになっても、割込みコンテンツを取得できないことが考えられる。この場合、割込みコンテンツを取得し表示させるまで、予定表示領域２０に割込みコンテンツを表すマークを表示させたままにしてもよい。例えば、予定表示領域２０に表示させたタイミングを過ぎた後は、現在表示させているコンテンツを表すマークの隣り（図１の検疫のお知らせのマークが表示されている位置）に、割込みコンテンツを表すマークを表示させたままにしてもよい。
あるいは、図６に示すフローチャートを常に動作するように構成すれば、（Ｓ６）の分岐でＹＥＳとなった後、（Ｓ８）の処理で新しい割込み予定情報を取得し、新しい割込み予定情報を用いてコンテンツ情報を表示する。また新しい割込み予定時刻を、現在の割込み予定時刻に一定時間（例えば１５分）加算したものとして、表示順序を再構成してもよい。
【００３６】
また、履歴表示部１５４は、割込みコンテンツについても、表示させた後は、その割込みコンテンツを表すマークを履歴表示領域３０に表示させる。
なお実施の形態１では、表示装置は駅や街中に設置されているものとして説明したが、この情報表示方法をテレビ放送やＷｅｂでの表示方法に応用することができる。テレビ放送の場合、テレビ番組表があるが、実施の形態１の情報表示方法によれば、秒・分単位でコンテンツ情報とアピールポイントを表示することができる。例えば悪天候のとき、テレビの視聴者に対して、数分後（例えば５分後）に気象庁からのニュースという割込み情報が入ることを番組の流れとともに、視聴者に通知することができる。また割込み情報により、番組の流れが変更になる場合は、変更の番組情報を合わせて視聴者に通知することができる。
さらに、番組内容の変更だけではなく、以下のように、放送のチャネル自体が変わってしまう場合や、デバイスの表示モードが変わってしまう場合にも同様の表示が可能である。
例えば、テレビの録画機能によって、１０分後に、表示されているチャンネルが他のチャンネルに切り替わる。また別の例では、ＰＣ上でインターネット上のコンテンツを見ている場合に、１０秒後に、ＰＣがスタンバイモードに変わるという場合に、適用可能である。
従来の情報表示装置でも、このような表示が出される場合はあったが、番組の内容とは関係なく、バラバラに、別のウィンドウなどによって表示されていた。
実施の形態１の情報表示装置では事前通知はお知らせ毎に個別に表示するのではなく、一連の番組情報の中で、割込み情報と同様に、チェネルや表示モードの変更に関しても情報表示するように構成することができるので、システムとして構成しやすく、利用者にとって状況を把握しやすいという特徴がある。
【００３７】
実施の形態２．
実施の形態２では、利用者が表示させるコンテンツやコンテンツの表示順序を選択可能な情報表示装置１００について説明する。
【００３８】
図７は、実施の形態２に係る情報表示装置１００の構成図である。図７に示す情報表示装置１００について、図２に示す実施の形態１に係る情報表示装置１００と異なる部分のみ説明する。
図７に示す情報表示装置１００は、図２に示す情報表示装置１００の機能に加え、コンテンツ選択部１６０を備える。
【００３９】
コンテンツ選択部１６０は、入力装置４００を介して、予定表示領域２０や履歴表示領域３０に表示させたマークから、利用者にコンテンツ表示領域１０に表示させるコンテンツについてのマークを選択させる。例えば、表示させたいコンテンツについてのマークをダブルクリックさせて選択させる。
また利用者が表示コンテンツを選択するかどうか決定するための補助機能として、マークをクリックしたときは、該当コンテンツのアピールポイントを表示する、または音声で案内するというように構成してもよい。それにより利用者はコンテンツを選択する前に、コンテンツの概要を確認することができ、選択操作を補助することができる。
コンテンツ表示部１５１は、コンテンツ表示領域１０に表示させているコンテンツの表示を途中で止め、選択されたコンテンツをコンテンツ情報記憶部１２０から取得して、コンテンツ表示領域１０に表示させる。また、予定表示部１５２、履歴表示部１５４、関連情報表示部１５５は、選択されたコンテンツに合わせて、予定情報、履歴情報、関連情報を表示させる。
【００４０】
また、コンテンツ選択部１６０は、入力装置４００を介して、予定表示領域２０や履歴表示領域３０に表示させたマークの順序を利用者に入れ替えさせ、コンテンツの表示順序を変更させてもよい。
この場合、変更された順序が表示順序記憶部１３０に格納される。そして、それ以降、変更された順序に従い、表示部１５０が動作する。
【００４１】
以上のように、実施の形態２に係る情報表示装置１００は、利用者に表示させるコンテンツやコンテンツの表示順序を変更可能とする。そのため、表示装置２００を見たときに興味のあるコンテンツが表示されていなかったとしても、興味のあるコンテンツに切り替えて表示させることができる。また、興味のあるコンテンツが複数ある場合等は、表示させる順序を変更して、興味のあるコンテンツが連続して表示されるようにすることもできる。
【００４２】
なお、割込みコンテンツについては、表示順序の変更ができないため、割込みコンテンツについてのマークを操作された場合には、エラーを表示するとしてもよい。
【００４３】
実施の形態３．
実施の形態３では、表示装置２００の形態について説明する。
【００４４】
図８は、実施の形態３に係る表示装置２００を示す図である。
図８に示すように、実施の形態３に係る表示装置２００は、コンテンツ表示領域１０、予定表示領域２０、履歴表示領域３０を備え、コンテンツ表示領域１０の左側に予定表示領域２０が配置されるとともに、右側に履歴表示領域３０が配置される。
なお、実施の形態１と同様に、コンテンツ表示領域１０の表示情報を制御するのは、コンテンツ表示部１５１であり、予定表示領域２０の表示を制御するのは、予定表示部１５２及び割込み情報表示部１５３であり、履歴表示領域３０の表示を制御するのは、履歴表示部１５４である。
【００４５】
実施の形態３に係る表示装置２００では、予定表示領域２０には、表示される順に右から並べられたマークが表示され、表示されたマークが徐々に右方向（図８の矢印方向）へ移動し、コンテンツ表示領域１０へ近づいていく。履歴表示領域３０には、表示されたコンテンツについてのマークが表示され、表示されたマークが徐々に右方向（図８の矢印方向）へ移動し、コンテンツ表示領域１０から離れていく。また、予定表示領域２０の左端２０Ａから新たなマークが出現し、履歴表示領域３０の右端３０Ａからマークが消えていく。
予定表示領域２０からコンテンツ表示領域１０へマークが差し掛かると、そのマークについてのコンテンツが表示される。つまり、コンテンツが動画であれば、コンテンツ表示領域１０にその動画が表示され、コンテンツが静止画であれば、コンテンツ表示領域１０にその静止画が表示される。コンテンツの表示が終わると、そのコンテンツについてのマークが履歴表示領域３０に表示される。
つまり、予定表示領域２０に表示されたマークは、表示されるまでの待機時間が短いほどコンテンツ表示領域１０寄りに配置される。同様に、履歴表示領域３０に表示されたマークは、表示されてからの経過時間が短いほどコンテンツ表示領域１０寄りに配置される。
【００４６】
図９は、表示装置２００に表示される情報の変化を説明するための図である。図９では、（ａ）（ｂ）（ｃ）の順に表示される情報が変化していく。
まず、図９（ａ）の状態では、コンテンツ表示領域１０には、観光情報が表示されている。また、予定表示領域２０には、検疫のお知らせ、オリンピックニュース、ホテル情報についてのマークが表示され、履歴表示領域３０には、航空機の発着スケジュール等の航空機情報についてのマークが表示されている。
観光情報の表示が終了すると、図９（ｂ）の状態となり、コンテンツ表示領域１０には、検疫のお知らせが表示される。また、予定表示領域２０には、オリンピックニュース、ホテル情報、列車・バス等の交通情報についてのマークが表示され、履歴表示領域３０には、観光情報についてのマークが表示される。
検疫のお知らせの表示が終了すると、図９（ｃ）の状態となり、コンテンツ表示領域１０には、オリンピックニュースが表示される。また、予定表示領域２０には、ホテル情報、列車・バス等の交通情報、航空機の発着スケジュール等の航空機情報についてのマークが表示され、履歴表示領域３０には、検疫のお知らせについてのマークが表示される。
【００４７】
以上のように、実施の形態３に係る表示装置２００は、予定情報に表示されたマークが徐々に移動して、コンテンツ表示領域１０に差し掛かるとそのマークについてのコンテンツが表示される。また、コンテンツが表示し終わると、そのコンテンツについてのマークが履歴表示領域３０に表示される。
そのため、利用者は、予定表示領域２０には、これから表示されるコンテンツについてのマークが表示されており、履歴表示領域３０には既に表示された後のコンテンツについてのマークが表示されていることが、直感的に理解できる。
【００４８】
なお、予定表示領域２０と履歴表示領域３０とは、コンテンツ表示領域１０と比べてバックライトの輝度が低く、目立たないように情報が表示されている。
そのため、利用者は、コンテンツ表示領域１０に注目し易い。また、予定表示領域２０と履歴表示領域３０との消費電力を低減することができる。
【００４９】
また、表示装置２００は複数の表示装置で構成されている。例えば、コンテンツ表示領域１０、予定表示領域２０、履歴表示領域３０それぞれが異なる１つの表示装置であり、これら３つの表示装置が横に並べられて表示装置２００を構成している。もちろん、コンテンツ表示領域１０、予定表示領域２０、履歴表示領域３０それぞれを複数の表示装置で構成してもよい。
また、並べる向きもコンテンツ表示領域１０を中心として横向きに並べるものに限定されず、コンテンツ表示領域１０を中心として縦や斜めに並べてもよい。また、コンテンツ表示領域１０の一方側に予定表示領域２０と履歴表示領域３０とを並べて設けてもよい。例えば、コンテンツ表示領域１０の左側に予定表示領域２０と履歴表示領域３０とを上下に並べて設けてもよい。
【００５０】
また、コンテンツ表示領域１０と、予定表示領域２０及び履歴表示領域３０とは、異なる種類の表示装置で構成されていてもよい。
例えば、コンテンツ表示領域１０を構成する表示装置に比べ、予定表示領域２０及び履歴表示領域３０を構成する表示装置は、解像度の低い表示装置としてもよい。
また、例えば、コンテンツ表示領域１０を構成する表示装置をカラー表示可能な表示装置とし、予定表示領域２０及び履歴表示領域３０を構成する表示装置をカラー表示できず、白黒表示のみ可能な表示装置としてもよい。
このようにすることにより、表示装置２００を安価にすることが可能となる。
【００５１】
また、図１０に示すように、コンテンツ表示領域１０を構成する表示装置に比べ、予定表示領域２０及び履歴表示領域３０を構成する表示装置は、画面サイズ（表示領域のサイズ）の小さい表示装置としてもよい。
このようにすることにより、表示装置２００を安価にすることが可能となる。
例えば、映画館のスクリーンをコンテンツ表示領域１０とし、その両側に予定表示領域２０及び履歴表示領域３０を構成する、スクリーンよりも小さい表示装置を設けてもよい。
なお図１０の構成によると、コンテンツとしては映画などの映像コンテンツを適用することが可能になる。予定表示領域や履歴表示領域のマークやアピールポイントによりコンテンツを確認できるので、例えば少人数向けシアターであれば、適宜利用者の好みにより、再生するコンテンツや映画の場面（シーン）を変更することができる。
【００５２】
また、実施の形態３においても、オリンピックニュースは実施の形態１と同様に割込みコンテンツである。割込みコンテンツは、実施の形態１の場合と同様に、装飾を施したり、点滅させたりして目立たせてもよい。
【００５３】
実施の形態４．
実施の形態４では、表示装置２００を２台備えている場合について説明する。
【００５４】
図１１は、実施の形態４に係る情報表示装置１００によって、２台の表示装置２００Ａ（第１表示装置）、表示装置２００Ｂ（第２表示装置）に表示される情報の説明図である。
表示装置２００Ａには、図１に示す表示装置２００と同じ情報が表示される。
表示装置２００Ｂには、表示装置２００Ａの予定表示領域２０又は履歴表示領域３０に表示されたマークのうち、利用者に選択されたマークが示すコンテンツが表示される。つまり、表示装置２００Ｂには、利用者の選択に応じて、コンテンツが表示される。
なお、予定表示領域２０に表示されている割込みコンテンツを示すマークが選択された場合、表示装置２００Ｂには、その割込みコンテンツに関連する過去の（既に表示された）割込みコンテンツが表示される。例えば、図１１のオリンピックニュースが選択された場合、既に終了している競技の結果や、過去のオリンピックの結果等が表示される。
【００５５】
図１２は、実施の形態４に係る情報表示装置１００の構成図である。
図１２に示すように、情報表示装置１００は、図７に示す実施の形態２に係る情報表示装置１００の機能に加え、表示部１５０が指定情報表示部１５６を備える。表示部１５０は、２台の表示装置２００Ａ、表示装置２００Ｂを制御する。
指定情報表示部１５６は、表示装置２００Ａの予定表示領域２０又は履歴表示領域３０に表示されたマークのうち、利用者により入力装置４００を介して選択されたマークが示すコンテンツをコンテンツ情報記憶部１２０から取得して、表示装置２００Ｂに表示させる。指定情報表示部１５６は、選択されたマークが予定表示領域２０に表示されている割込みコンテンツを示すマークであった場合、その割込みコンテンツに関連する過去の割込みコンテンツを割込み情報記憶部１１０から取得して、表示装置２００Ｂに表示させる。例えば、図３に示す割込み情報記憶部１１０が記憶した情報のうちマークが同じものを、関連する過去の割込みコンテンツとしてもよい。また、別途、割込み情報記憶部１１０に割込みコンテンツの分類情報を記憶しておき、分類情報が同じものを関連する過去の割込みコンテンツとしてもよい。
【００５６】
以上のように、実施の形態４に係る情報表示装置１００では、利用者が見たいコンテンツを見たいときに見ることができる。特に、利用者がマークを選択した場合であっても、表示装置２００Ａに表示される内容は変更されない。そのため、複数の利用者が表示装置２００Ａを見ている場合に、マークを選択した利用者以外の他の利用者の利便性を損なうこともない。
【００５７】
なお、上記説明では、表示装置２００Ａには、図１に示す情報が表示されるとした。しかし、図１３に示すように、表示装置２００Ａに、航空機の運航予定を示すフライトインフォメーションが表示されるとしてもよい。例えば、フライトインフォメーションは、便の出発時刻順に複数ページに分けられ、順次切り替えて表示される。図１３の例では、４つのページに分けられ、４つのページが順次切り替えて表示される。また、表示装置２００Ａには、各ページを示すマークが表示され、現在どのページが表示されているかが示される。図１３の例では、１から４までの番号が示されたマークが表示され、網掛されている２番のページが表示されていることが示されている。なお、各マークの付近に、そのマークが示すページでは何時から何時までに出発する便の情報が表示されるかを示してもよい。
この場合、表示装置２００Ｂには、表示装置２００Ａに表示された１から４までの番号が示されたマークのうち、利用者に選択されたマークが示すフライトインフォメーションのページが表示される。図１３の例では、４番のページが表示されている。
利用者は、自分が搭乗する便の出発時刻から、どのページに自分が搭乗する便のフライトインフォメーションが表示されているかを判断し、そのページを表示装置２００Ｂに表示させることができる。これにより、利用者が搭乗する便のページが表示されていない場合であっても、すぐにそのページを表示させ、フライトインフォメーションを確認することが可能になる。
もちろん、フライトインフォメーションに限らず、鉄道等の他の交通機関の運行情報であっても構わない。
【００５８】
また、指定情報表示部１５６は、選択されたマークが示すコンテンツが動画である場合、利用者からの指示に従い、表示装置２００Ｂに表示させたコンテンツの再生速度を変更してもよいし、一時停止させてもよい。また、指定情報表示部１５６は、コンテンツに含まれる文字の大きさや、表示言語、色を利用者の指示に従い変更してもよい。
なお表示装置２００Ｂは、複数台で構成してもよい。その場合は、複数の利用者の選択に応じて２００Ｂそれぞれに異なるコンテンツを表示することができる。
また表示装置２００Ａおよび２００Ｂの複数の組み合わせを、並んで設置してもよい。その場合は、表示装置２００Ａに同じコンテンツを表示することもできるし、異なるコンテンツを表示することもでき、複数の利用者からの選択に応じることができる。
【００５９】
実施の形態５．
実施の形態５では、割込み予定情報や割込みコンテンツの取得方法について説明する。
【００６０】
実施の形態１では、情報取得部１４０は、配信サーバ３００から配信された割込み予定情報や割込みコンテンツを取得するとした。しかし、情報取得部１４０は、電子メールの添付ファイルとして割込み予定情報や割込みコンテンツを取得してもよい。
例えば、情報取得部１４０は、所定のアドレス（情報表示装置１００のアドレス）へ宛てた電子メールの添付ファイルを割込み予定情報や割込みコンテンツとして取得する。また、情報取得部１４０は、所定のアドレス（情報表示装置１００のアドレス）へ宛てた電子メールが所定のアドレス（管理者の端末のアドレス）から送信されていた場合に、その電子メールの添付ファイルを割込み予定情報や割込みコンテンツとして取得してもよい。
なお、割込み予定情報か割込みコンテンツかは、例えば、電子メールの宛先のアドレスや、タイトル、本文の少なくともいずれかによって判定するようにしてもよい。つまり、割込み予定情報と割込みコンテンツとで、電子メールの送信先のアドレスを変えておいてもよいし、電子メールのタイトルを変えておいてもよいし、電子メールの本文に記載する内容を変えておいてもよい。
【００６１】
また、情報取得部１４０は、コンテンツの重要度等、割込みコンテンツを表示させる表示装置２００の位置、表示回数、表示タイミング等を、割込み予定情報や割込みコンテンツとともに取得してもよい。情報取得部１４０は、これらの情報を取得した場合、これらの情報も割込み情報記憶部１１０に格納する。
【００６２】
図１４は、実施の形態５に係る割込み情報記憶部１１０が記憶する情報の一例を示す図である。
実施の形態５に係る割込み情報記憶部１１０が記憶する情報には、図３に示す情報に加え、重要度、表示端末、回数・タイミング、取得元が含まれる。重要度は、割込みコンテンツの重要度を表す。表示端末は、割込みコンテンツを表示させる表示装置２００（表示装置２００の位置）を表す。回数・タイミングは、割込みコンテンツを表示させる回数とタイミング（割込みコンテンツ取得後、表示を開始するタイミング）とを表す。取得元は、割込み予定情報や割込みコンテンツを配信サーバ３００から取得したか、電子メールにより取得したかを表す。
【００６３】
実施の形態６．
実施の形態６では、順次切り替えて表示させているコンテンツに、割込みコンテンツを組み込む方法について説明する。
【００６４】
図１５は、実施の形態６に係る情報表示装置１００の構成図である。
図１５に示すように、情報表示装置１００は、図２に示す実施の形態１に係る情報表示装置１００の機能に加え、表示順序構成部１７０を備える。
表示順序構成部１７０は、１つのコンテンツを表示させる度、及び、割込みコンテンツを取得する度に、表示順序記憶部１３０に記憶された表示順序を構成し直す。つまり、表示順序構成部１７０は、順次切り替えて表示させているコンテンツに、割込みコンテンツを組み込んだ表示順序を構成する。
なお、図１４に示すように、割込みコンテンツの中には、所定の回数だけ表示させるものや、特定の時間だけ表示させるものがある。所定の回数だけ表示させるものの場合、表示順序構成部１７０は、その割込みコンテンツが表示された回数をカウントしておき、割込みコンテンツが所定の回数表示された後に、その割込みコンテンツを抜いた表示順序を構成する。特定の時間だけ表示させるものの場合、表示順序構成部１７０は、表示の開始時刻後のタイミングで、その割込みコンテンツを組み込んだ表示順序を構成し、表示の終了時刻後のタイミングで、その割込みコンテンツを抜いた表示順序を構成する。
また、図１４に示すように、割込みコンテンツの中には、特定の表示装置２００にのみ表示させるものがある。そのため、表示順序構成部１７０は、表示装置２００毎に表示順序を構成する。
表示部１５０は、表示順序構成部１７０が再構成した表示順序に従い、各表示装置２００のコンテンツ等を表示させる。
【００６５】
表示順序構成部１７０は、例えば、表示順序の最後に割込みコンテンツを組み込む。つまり、図５に示す表示順序であれば、Ｃ００５の後に（Ｃ００５とＣ００１との間）に割込みコンテンツが表示されるように割込みコンテンツが組み込まれた表示順序が構成される。
しかし、オリンピックニュース（図１４の割込みＩＤがＩ００１のコンテンツ）のように、取得してすぐに表示される割込みコンテンツの場合、割込みコンテンツを取得した時点で、すぐに表示される位置に割込みコンテンツが組み込まれた表示順序が構成される。例えば、図５に示すＣ００２を表示しているときに、Ｉ００１の割込みコンテンツを取得した場合、Ｃ００２とＣ００３との間にＩ００１の割込みコンテンツが表示されるように、割込みコンテンツが組み込まれた表示順序が構成される。
【００６６】
表示順序構成部１７０は、割込みコンテンツの重要度に応じて割込みコンテンツを表示する頻度を変更してもよい。例えば、割込みコンテンツの重要度が高であれば、その割込みコンテンツの表示順がくる度に毎回表示させ、重要度が中であれば、その割込みコンテンツの表示順が２回きたら１度表示させ、重要度が低であれば、その割込みコンテンツの表示順が３回きたら１度表示させる。他にも、重要度が高であれば、その割込みコンテンツの表示順がくる度に２回連続して表示させる等のようにしてもよい。
また、重要度に代えて、表示頻度を示す情報を取得し、その情報に従い、表示する頻度を変更してもよい。
【００６７】
表示順序構成部１７０は、構成した表示順序と、割込みコンテンツが組み込まれた場合にはその割込みコンテンツとを、管理者端末に表示させ、管理者の承認を受けてから表示順序を変更するとしてもよい。
【００６８】
また、情報表示装置１００は、割込みコンテンツが広告等の場合には、広告主に対して課金してもよい。この場合、情報表示装置１００は、割込みコンテンツの重要度毎に、基準料金の何％増しの金額を課金するかを示す課金情報を記憶する記憶装置（課金情報記憶部）と、課金の処理を行う課金処理部とを備えておく。課金処理部は、表示させた割込みコンテンツの重要度に応じて、記憶装置から課金情報を取得し、課金情報に従い計算された金額を広告主に対して課金する。
割込みコンテンツとして表示する広告は、通常の広告よりも課金する金額を高くしてもよい。
【００６９】
実施の形態７．
実施の形態７では、コンテンツ表示領域１０に表示させている情報の種別を表示することについて説明する。
【００７０】
図１６は、実施の形態７に係る情報表示装置１００によって表示装置２００に表示される情報の説明図である。
図１６では、表示装置２００の左上に種別情報１１が表示されている。他は、図１に示す表示装置２００と同じ情報が表示される。
種別情報１１は、コンテンツ表示領域１０に表示されているコンテンツの種別を示す。つまり、種別情報１１は、コンテンツ表示領域１０に表示されているコンテンツが、例えば、広告、ニュース、情報（交通情報、ホテル情報、航空機情報等）等のいずれであるかを示す。
【００７１】
実施の形態７に係る情報表示装置１００の構成は、図２に示す実施の形態１に係る情報表示装置１００の構成と同じである。
コンテンツ情報記憶部１２０は、各コンテンツの情報とともに、そのコンテンツの種別を記憶する。コンテンツ表示部１５１は、コンテンツをコンテンツ表示領域１０に表示させる際、そのコンテンツの種別をコンテンツ情報記憶部１２０から取得して、表示装置２００に表示させる。
【００７２】
利用者は、種別情報１１を見ることで、コンテンツ表示領域１０に表示されている情報がどのような情報であるかを容易に知ることができる。
さらにコンテンツ表示部１５１は、種別情報１１に、選択可能画面か選択結果表示画面かを示す画面種別情報、表示のみ（一方向通信）か対話式（双方向通信）を示す操作形態情報、表示情報が固定か変更かを示す表示形態情報を組み合わせて表示してもよい。
画面種別情報、操作形態情報および表示形態情報は、表示装置２００毎に予め定められている情報であり、表示装置情報記憶部（図示せず）に記憶され、コンテンツ表示部１５１がコンテンツをコンテンツ表示領域１０に表示させる際に、表示装置情報記憶部（図示せず）から情報を取得して、種別情報１１とともに表示装置２００に表示させる。
画面種別情報は、例えば図１１で説明すると、表示装置２００Ａが選択可能画面であり、表示装置２００Ｂが選択結果表示画面である。
操作形態情報は、例えば図１３で説明すると、表示装置２００Ａが「表示のみ（一方向通信）」であり、表示装置２００ｂが「対話式（双方向）」である。
表示形態情報が「固定」とは、例えば種別情報１１としてフライトインフォメーションのみを表示することを示し、「変更」は種別情報１１が広告、ニュース、情報と変更することを示す。「固定」は「一種類」、「変更」は「多種類」という用語を用いてもよい。
種別情報１１に、画面種別情報、操作形態情報および表示形態情報のいずれかを組み合わせてもよいし、全てを組み合わせてもよい。図１１において、種別情報１１に画面種別情報を加えた例で説明すると、表示装置２００Ａは、「情報」＋「選択可能画面」、表示装置２００Ｂは、「ホテル情報」＋「選択結果表示画面」と設定される。図１１において、種別情報１１に表示形態情報を加えた例で説明すると、表示装置２００Ａは、「情報」＋「変更」、表示装置２００Ｂは、「ホテル情報」＋「変更」と設定される。
図１３において、種別情報１１に操作形態情報、表示形態情報を加えた例で説明すると、表示装置２００Ａは、「フライトインフォメーション」＋「表示のみ（一方向通信）」＋「固定」、表示装置２００Ｂは、「フライトインフォメーション」＋「対話式（双方向通信）」＋「固定」と設定される。（図１３の表示装置２００Ｂは、利用者からの選択を受け付けていないときは、表示装置２００Ａに表示されるフライトインフォメーションと同じものを表示しているものとする。）
画面種別情報、操作形態情報および表示形態情報を示す単語は、任意に設定できる。また単語で表すだけでなく、画面全体を覆う枠表示や背景色などで各種情報を表示するように構成してもよい。例えば、「表示のみ（一方向通信）」か「対話式（双方向）」かを枠表示や背景色を変更させて表示することで、よりわかりやすくなる。
このように種別情報１１に、画面種別情報、操作形態情報および表示形態情報を組み合わせて表示することで、表示装置２００の表示内容についてより詳細に一目で紹介でき、離れた場所にいる利用者に対しても利用を促す効果が期待できる。
【００７３】
次に、実施の形態における情報表示装置１００のハードウェア構成について説明する。
図１７は、情報表示装置１００のハードウェア構成の一例を示す図である。
図１７に示すように、情報表示装置１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００７４】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００７５】
プログラム群９２３には、上記の説明において「情報取得部１４０」、「表示部１５０」、「コンテンツ選択部１６０」、「表示順序構成部１７０」等として説明した機能を実行するソフトウェアやプログラムやその他のプログラムが記憶されている。プログラムは、ＣＰＵ９１１により読み出され実行される。
ファイル群９２４には、上記の説明において「割込み情報記憶部１１０」、「コンテンツ情報記憶部１２０」、「表示順序記憶部１３０」に格納される情報やデータや信号値や変数値やパラメータが、「データベース」の各項目として記憶される。「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００７６】
また、上記の説明におけるフローチャートの矢印の部分は主としてデータや信号の入出力を示し、データや信号値は、ＲＡＭ９１４のメモリ、その他光ディスク等の記録媒体やＩＣチップに記録される。また、データや信号は、バス９１２や信号線やケーブルその他の伝送媒体や電波によりオンライン伝送される。
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組合せ、さらには、ファームウェアとの組合せで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００７７】
１０  コンテンツ表示領域、１１  種別情報、２０  予定表示領域、３０  履歴表示領域、４０  関連情報表示領域、１００  情報表示装置、１１０  割込み情報記憶部、１２０  コンテンツ情報記憶部、１３０  表示順序記憶部、１４０  情報取得部、１５０  表示部、１５１  コンテンツ表示部、１５２  予定表示部、１５３  割込み情報表示部、１５４  履歴表示部、１５５  関連情報表示部、１５６  指定情報表示部、１６０  コンテンツ選択部、１７０  表示順序構成部、２００  表示装置、３００  配信サーバ、４００  入力装置。
【図１】
0005399454.tif 000002
【図２】
0005399454.tif 000003
【図３】
0005399454.tif 000004
【図４】
0005399454.tif 000005
【図５】
0005399454.tif 000006
【図６】
0005399454.tif 000007
【図７】
0005399454.tif 000008
【図８】
0005399454.tif 000009
【図９】
0005399454.tif 000010
【図１０】
0005399454.tif 000011
【図１１】
0005399454.tif 000012
【図１２】
0005399454.tif 000013
【図１３】
0005399454.tif 000014
【図１４】
0005399454.tif 000015
【図１５】
0005399454.tif 000016
【図１６】
0005399454.tif 000017
【図１７】
0005399454.tif 000018